(57)【特許請求の範囲】
【請求項１】
洗い場の凹部の底面に設けられた排水口に接続される受入口と、浴槽の排水口に接続される流入口と、排水管に接続される流出口と、を有し、前記受入口及び前記流入口から流入した水を前記流出口から流出させるとともに、前記受入口及び前記流入口から前記流出口へと至る経路を封水によって遮断可能とするトラップ本体と、
前記受入口に着脱可能に取り付けられ、前記受入口から前記トラップ本体内への異物の侵入を抑制するヘアキャッチャーと、
を備え、
前記トラップ本体は、
上部に前記受入口が設けられた有底筒状であり、流入した水を前記流出口に向けて流出させつつ、内部に前記封水を貯留可能とした封水貯留部と、
前記封水貯留部の内周面から内方に突出するとともに、前記内周面の周方向に延びる突出部と、
前記流入口から流入した水を前記封水貯留部内に噴出させることにより、前記封水貯留部の内周面に沿って旋廻する旋廻流を形成するとともに、前記封水貯留部内の水位を一時的に上昇させ、前記ヘアキャッチャーを前記旋廻流に浸漬させる噴出部と、
を有し、
前記ヘアキャッチャーは、
下方に向かって凹む籠状であり、前記受入口に嵌り、前記突出部よりも下方の前記封水貯留部内に一部が入り込むとともに、前記封水貯留部との当接によって下方への移動が規制される本体部と、
前記本体部の上端から外方に延びる取っ手部と、
前記本体部の外周面に周方向において所定の間隔を空けて設けられ、外方に向かって突出し、前記突出部の下端に係合して前記本体部の上方への移動を規制可能とする複数の係合突起と、
を有し、
前記突出部は、前記封水貯留部の内周面の全周に亘って前記封水貯留部の内部の幅を、前記ヘアキャッチャーを上方から見た状態における前記本体部の上端の外形形状の最小の幅よりも狭くし、
前記トラップ本体及び前記ヘアキャッチャーの少なくとも一方は、前記突出部と前記複数の係合突起とが係合した状態において、前記本体部の前記周方向の回転を規制する回転規制部を有し、
前記複数の係合突起の少なくとも１つ及び前記本体部のいずれかは、前記複数の係合突起の前記突出部の部分の通過を許容する弾性を有することを特徴とする排水トラップ。
【請求項２】
前記回転規制部は、
前記ヘアキャッチャーに設けられ、前記本体部から外方に突出した凸部と、
前記封水貯留部に設けられ、前記突出部と前記複数の係合突起とが係合した状態において、前記凸部の前記周方向の側端と当接可能な当接部と、
を有し、前記凸部と前記当接部との当接によって前記本体部の前記周方向の回転を規制することを特徴とする請求項１記載の排水トラップ。
【請求項３】
前記凸部は、前記複数の係合突起であり、
前記当接部は、前記突出部の下方に設けられ、前記複数の係合突起のいずれかの前記周方向の側端と当接することを特徴とする請求項２記載の排水トラップ。
【請求項４】
前記回転規制部は、前記ヘアキャッチャーに設けられ、外方に向かう方向において前記突出部に当接し、前記複数の係合突起の少なくとも１つ及び前記本体部のいずれかの弾性力によって前記突出部に押し付けられることにより、前記本体部の前記周方向の回転を摩擦力によって抑制する当接面を有することを特徴とする請求項１〜３のいずれか１つに記載の排水トラップ。
【請求項５】
前記複数の係合突起の１つは、前記取っ手部の下方に設けられ、
前記複数の係合突起の別の１つは、前記取っ手部と相対する位置に設けられたことを特徴とする請求項１〜４のいずれか１つに記載の排水トラップ。
【発明の詳細な説明】
【技術分野】
【０００１】
本発明の態様は、一般的に、浴室用の排水トラップに関する。
【背景技術】
【０００２】
浴槽の排水口と、洗い場の排水口と、排水管と、に接続され、浴槽又は洗い場から流入した水を排水管に流出させる浴室用の排水トラップがある。排水トラップは、内部に封水を貯留することにより、排水管からの臭気や害虫などが浴室側に向かうことを抑制する。
【０００３】
排水トラップには、ヘアキャッチャーと呼ばれる籠状の部材が着脱可能に設けられる。ヘアキャッチャーは、洗い場の排水口との接続部分である受入口に着脱可能に取り付けられ、トラップ内への水の流入を妨げることなく、毛髪などの異物がトラップ内に侵入してしまうことを抑制する。
【０００４】
こうした排水トラップにおいて、浴槽の排水口から流入した水により、トラップ内に旋廻流を形成することが提案されている（例えば、特許文献１）。トラップ内に旋廻流を形成しつつ、トラップ内の水位を一時的に上昇させて、ヘアキャッチャーを旋廻流に浸漬させる。これにより、例えば、ヘアキャッチャー内に溜まった異物がまとめられ、異物を捨て易くすることができる。また、ヘアキャッチャーの表面が、旋廻流によって浄化され、ヘアキャッチャー表面におけるヌメリの発生などを抑えることができる。
【０００５】
旋廻流を形成する排水トラップにおいて、旋廻流の影響でヘアキャッチャーが動いてしまうと、異物をまとめる効果やヌメリの抑制の効果が低下してしまう。このため、旋廻流を形成する排水トラップでは、受入口付近にヘアキャッチャーを係合させることにより、ヘアキャッチャーの上下方向及び旋廻方向への移動を規制している。
【０００６】
図１３に表したように、例えば、排水トラップＤＴのトラップ本体ＭＢにおいて受入口ＯＰよりも下方の内周面に係合突起ＥＰを設け、係合突起ＥＰと係合する係合溝ＥＧをヘアキャッチャーＨＣの外周面に設けることが提案されている。係合突起ＥＰは、内方に向かって突出する。係合突起ＥＰは、例えば、トラップ本体ＭＢ内の内周面の周方向に所定の間隔を空けて複数設けられる。係合溝ＥＧは、例えば、ヘアキャッチャーＨＣの外周面の周方向に延び、係合部ＥＰに対応して複数設けられる。
【０００７】
図１４（ａ）に表したように、ヘアキャッチャーＨＣの取り付けにおいては、まず、ヘアキャッチャーＨＣの上端を略水平にした状態で、上部に設けられたフランジ部ＨＣｆを複数の係合突起ＥＰの上に載置する。フランジ部ＨＣｆは、ヘアキャッチャーＨＣの籠状の本体部の上端部から外方に向かって放射状に延びる部分である。この後、図１４（ｂ）に表したように、ヘアキャッチャーＨＣを旋廻方向に回転させながら各係合突起ＥＰと各係合溝ＥＧとを互いに係合させる。各係合溝ＥＧに各係合突起ＥＰを入り込ませて上下方向の移動を規制するとともに、各係合溝ＥＧの端面に各係合突起ＥＰを当接させて旋廻方向の移動を規制する。これにより、各係合突起ＥＰと各係合溝ＥＧとの係合によって、ヘアキャッチャーＨＣの上下方向及び旋廻方向への移動が規制される。また、この取付方法では、ヘアキャッチャーＨＣのフランジ部ＨＣｆで各係合突起ＥＰ及び各係合溝ＥＧを覆い隠すことができる。これにより、例えば、各係合突起ＥＰ及び各係合溝ＥＧに生じる汚れを目立たなくさせることができる。
【０００８】
さらに、ヘアキャッチャーＨＣには、上端から外方に向かって略水平に延びる取っ手ＨＣｈが設けられる。これにより、取っ手ＨＣｈを摘んで操作することにより、ヘアキャッチャーＨＣ内に捕捉された異物を容易に捨てることができる。
【０００９】
また、ヘアキャッチャーＨＣは、受入口ＯＰよりも僅かに小さく形成され、受入口ＯＰ内に嵌った状態で取り付けられる。ヘアキャッチャーＨＣの上端は、受入口ＯＰと略面一、あるいは受入口ＯＰよりも下方に位置する。これにより、ヘアキャッチャーＨＣに洗い場からの排水を流入させ易くすることができる。また、受入口ＯＰに嵌るようにヘアキャッチャーＨＣを形成することにより、受入口ＯＰよりも大きく形成する場合に比べて、ヘアキャッチャーＨＣを小さくすることができ、ヘアキャッチャーＨＣをより操作し易くすることができる。捕捉された異物を捨てる際の操作性をより向上させることができる。
【００１０】
図１５に表したように、洗い場２の排水口４は、排水の溢れなどを抑制するため、凹部３の底面３ａに設けられる。凹部３の底面３ａの大きさは、受入口ＯＰの大きさよりも僅かに大きい程度であり、凹部３の立面３ｂは、受入口ＯＰに近接して配置される。
【００１１】
これにともない、洗い場２の床面２ａと凹部３の立面３ｂとのコーナー部ＣＮＲに、ヘアキャッチャーＨＣの側方側で取っ手ＨＣｈを摘んでいる手が当たってしまうことを避けるため、使用者によっては、取っ手ＨＣｈを摘み、図１５に表したように、ヘアキャッチャーＨＣの籠状の本体部分を受入口ＯＰに対して斜めに差し込んでしまう。そして、ヘアキャッチャーＨＣを受入口ＯＰに対して斜めに差し込むと、各係合突起ＥＰの間を通り抜け、ヘアキャッチャーＨＣがトラップ本体ＭＢ内の封水に浸かってしまう場合がある。
【００１２】
このように、旋廻流を形成する排水トラップＤＴでは、ヘアキャッチャーＨＣの取り付けの際に、ヘアキャッチャーＨＣがトラップ本体ＭＢ内の封水に浸かってしまう可能性があった。封水は、石鹸カスなどの混入により、不衛生な状態となっている場合がある。このため、ヘアキャッチャーＨＣが封水に浸かると、使用者にストレスを与えてしまう恐れがある。
【００１３】
また、ヘアキャッチャーＨＣを受入口ＯＰよりも大きくすると、ヘアキャッチャーＨＣが封水に浸かってしまうことを抑制できる反面、ヘアキャッチャーＨＣのサイズが大きくなってしまうため、操作性の低下を招き、ヘアキャッチャーＨＣの機能性を低下させてしまう。
【００１４】
従って、旋廻流を形成する排水トラップＤＴでは、ヘアキャッチャーＨＣの機能性の低下を招くことなく、ヘアキャッチャーＨＣが封水に浸かってしまうことを抑制できるようにすることが望まれる。
【先行技術文献】
【特許文献】
【００１５】
【特許文献１】特開２０１２−１７２４２２号公報
【発明の概要】
【発明が解決しようとする課題】
【００１６】
本発明は、かかる課題の認識に基づいてなされたものであり、ヘアキャッチャーの機能性の低下を招くことなく、ヘアキャッチャーが封水に浸かってしまうことを抑制できる排水トラップを提供することを目的とする。
【課題を解決するための手段】
【００１７】
第１の発明は、洗い場の凹部の底面に設けられた排水口に接続される受入口と、浴槽の排水口に接続される流入口と、排水管に接続される流出口と、を有し、前記受入口及び前記流入口から流入した水を前記流出口から流出させるとともに、前記受入口及び前記流入口から前記流出口へと至る経路を封水によって遮断可能とするトラップ本体と、前記受入口に着脱可能に取り付けられ、前記受入口から前記トラップ本体内への異物の侵入を抑制するヘアキャッチャーと、を備え、前記トラップ本体は、上部に前記受入口が設けられた有底筒状であり、流入した水を前記流出口に向けて流出させつつ、内部に前記封水を貯留可能とした封水貯留部と、前記封水貯留部の内周面から内方に突出するとともに、前記内周面の周方向に延びる突出部と、前記流入口から流入した水を前記封水貯留部内に噴出させることにより、前記封水貯留部の内周面に沿って旋廻する旋廻流を形成するとともに、前記封水貯留部内の水位を一時的に上昇させ、前記ヘアキャッチャーを前記旋廻流に浸漬させる噴出部と、を有し、前記ヘアキャッチャーは、下方に向かって凹む籠状であり、前記受入口に嵌り、前記突出部よりも下方の前記封水貯留部内に一部が入り込むとともに、前記封水貯留部との当接によって下方への移動が規制される本体部と、前記本体部の上端から外方に延びる取っ手部と、前記本体部の外周面に周方向において所定の間隔を空けて設けられ、外方に向かって突出し、前記突出部の下端に係合して前記本体部の上方への移動を規制可能とする複数の係合突起と、を有し、前記突出部は、前記封水貯留部の内周面の全周に亘って前記封水貯留部の内部の幅を、前記ヘアキャッチャーを上方から見た状態における前記本体部の上端の外形形状の最小の幅よりも狭くし、前記トラップ本体及び前記ヘアキャッチャーの少なくとも一方は、前記突出部と前記複数の係合突起とが係合した状態において、前記本体部の前記周方向の回転を規制する回転規制部を有し、前記複数の係合突起の少なくとも１つ及び前記本体部のいずれかは、前記複数の係合突起の前記突出部の部分の通過を許容する弾性を有することを特徴とする排水トラップである。
【００１８】
この排水トラップによれば、複数の係合突起の少なくとも１つ及び本体部のいずれかを弾性変形させながら複数の係合突起を突出部の下方まで嵌め込むという簡単な作業で、ヘアキャッチャーの取り付けを行うことができる。また、本体部の当接及び複数の係合突起の係合により、旋廻流の影響でヘアキャッチャーが上下に動いてしまうことを抑制することができる。また、ヘアキャッチャーが旋廻流の影響を受けても、回転規制部によって、ヘアキャッチャーが回転してしまうことを抑制することができる。さらに、突出部が、内周面の全周に亘って封水貯留部の内部の幅を、ヘアキャッチャーを上方から見た状態における前記本体部の上端の外形形状の最小の幅よりも狭くするため、ヘアキャッチャーの本体部の上端から外方に延びる取っ手部を摘んでヘアキャッチャーを取り付ける際に、ヘアキャッチャーが斜めの状態で取り付けられようとしたとしても、突出部と接触するため、ヘアキャッチャーが封水に浸かってしまうことを抑制することができる。従って、ヘアキャッチャーの機能性の低下を招くことなく、ヘアキャッチャーが封水に浸かってしまうことを抑制することができる。
【００１９】
第２の発明は、第１の発明において、前記回転規制部は、前記ヘアキャッチャーに設けられ、前記本体部から外方に突出した凸部と、前記封水貯留部に設けられ、前記突出部と前記複数の係合突起とが係合した状態において、前記凸部の前記周方向の側端と当接可能な当接部と、を有し、前記凸部と前記当接部との当接によって前記本体部の前記周方向の回転を規制することを特徴とする排水トラップである。
【００２０】
この排水トラップによれば、ヘアキャッチャーの本体部の周方向の回転を簡単な構成で抑制しつつ、ヘアキャッチャーが封水に浸かってしまうことを抑制することができる。
【００２１】
第３の発明は、第２の発明において、前記凸部は、前記複数の係合突起であり、前記当接部は、前記突出部の下方に設けられ、前記複数の係合突起のいずれかの前記周方向の側端と当接することを特徴とする排水トラップである。
【００２２】
この排水トラップによれば、凸部を別途設ける必要がなく、より簡単な構成でヘアキャッチャーの本体部の周方向の回転を抑制しつつ、ヘアキャッチャーが封水に浸かってしまうことを抑制することができる。
【００２３】
第４の発明は、第１〜第３の発明のいずれか１つにおいて、前記回転規制部は、前記ヘアキャッチャーに設けられ、外方に向かう方向において前記突出部に当接し、前記複数の係合突起の少なくとも１つ及び前記本体部のいずれかの弾性力によって前記突出部に押し付けられることにより、前記本体部の前記周方向の回転を摩擦力によって抑制する当接面を有することを特徴とする排水トラップである。
【００２４】
この排水トラップによれば、複数の係合突起の少なくとも１つ及び本体部のいずれかの弾性力を活かし、ヘアキャッチャーの本体部の周方向の回転を摩擦力によって抑制するため、簡単な構成で回転を抑制しつつ、ヘアキャッチャーが封水に浸かってしまうことを抑制することができる。
【００２５】
第５の発明は、第１〜第４の発明のいずれか１つにおいて、前記複数の係合突起の１つは、前記取っ手部の下方に設けられ、前記複数の係合突起の別の１つは、前記取っ手部と相対する位置に設けられたことを特徴とする排水トラップである。
【００２６】
この排水トラップによれば、ヘアキャッチャーの取り付け時に、取っ手部を持って操作するだけで取り付けを行うことができ、取り付けの作業性を向上させることができる。例えば、取っ手部を持った状態で、取っ手部と相対する位置に設けられた係合突起を突出部に係合させた後、取っ手部を下方に押し込む。これにより、取っ手部の下方に設けられた係合突起が突出部と係合し、ヘアキャッチャーを取り付けることができる。
【発明の効果】
【００２７】
本発明の態様によれば、ヘアキャッチャーの機能性の低下を招くことなく、ヘアキャッチャーが封水に浸かってしまうことを抑制できる排水トラップが提供される。
【図面の簡単な説明】
【００２８】
【図１】実施形態に係る排水トラップを表す斜視図である
【図２】実施形態に係る排水トラップを表す断面図である。
【図３】実施形態に係る排水トラップの使用状態を表す斜視図である。
【図４】流入口から水が流入した場合の水の流れを説明する説明図である。
【図５】実施形態に係るヘアキャッチャー及び締付フランジを表す斜視図である。
【図６】実施形態に係るヘアキャッチャー及び締付フランジの一部を拡大して表す部分断面図である。
【図７】図７（ａ）及び図７（ｂ）は、実施形態に係るヘアキャッチャーの取り付け手順を表す説明図である。
【図８】ヘアキャッチャーの取り付け状態を表す参考図である。
【図９】実施形態に係る締付フランジの変形例を表す斜視図である。
【図１０】実施形態に係る締付フランジの別の変形例を表す部分断面図である。
【図１１】実施形態に係るヘアキャッチャー及び締付フランジの変形例を表す部分断面図である。
【図１２】図１２（ａ）及び図１２（ｂ）は、実施形態に係る締付フランジの変形例を表す平面図である。
【図１３】参考の排水トラップを表す平面図である。
【図１４】図１４（ａ）及び図１４（ｂ）は、参考の排水トラップのヘアキャッチャーの取り付け方法を表す説明図である。
【図１５】参考の排水トラップのヘアキャッチャーの取り付け状態を表す説明図である。
【発明を実施するための形態】
【００２９】
以下、実施形態について図面を参照しつつ説明する。なお、各図面中、同様の構成要素には同一の符号を付して詳細な説明は適宜省略する。  
図１は、実施形態に係る排水トラップを表す斜視図である。  
図２は、実施形態に係る排水トラップを表す断面図である。  
図３は、実施形態に係る排水トラップの使用状態を表す斜視図である。  
図１〜図３に表したように、排水トラップ１０は、トラップ本体１２と、ヘアキャッチャー１４と、を備える。ヘアキャッチャー１４は、トラップ本体１２に対して着脱可能に取り付けられる。なお、図３では、ヘアキャッチャー１４を取り外した状態を図示している。
【００３０】
トラップ本体１２は、受入口２０と、流入口２２と、流出口２４と、を有する。受入口２０は、洗い場２の凹部３の底面３ａに設けられた排水口４に接続される。流入口２２は、浴槽５の排水口６に接続される。流出口２４は、排水管８に接続される。
【００３１】
トラップ本体１２は、受入口２０及び流入口２２から流入した水を流出口２４から流出させる。換言すれば、トラップ本体１２は、流入した水を流出口２４を介して排水管８に流出させる。また、トラップ本体１２は、受入口２０及び流入口２２から流出口２４へと至る経路を封水によって遮断可能とする。これにより、トラップ本体１２は、排水管８の臭気や害虫などが浴室側に向かってしまうことを抑制する。
【００３２】
この例において、流入口２２は、接続部材１６及びホース１８を介して浴槽５の排水口６に接続される。接続部材１６は、Ｌ字状に屈曲した配管である。接続部材１６の一端には、排水口６と直接的に接続される接続口１６ａが設けられている。接続部材１６は、例えば、図示を省略した排水栓ユニットなどを介して排水口６に接続される。接続部材１６の他端は、ホース１８の一端に接続されている。ホース１８の他端は、流入口２２に接続されている。これにより、浴槽５の排水口６から排出された水が、接続部材１６及びホース１８を介してトラップ本体１２の流入口２２に流入する。
【００３３】
接続部材１６及びホース１８は、接着や溶着などにより、トラップ本体１２に一体に設けられていてもよい。この場合、接続部材１６の接続口１６ａを流入口２２としてもよい。流入口２２は、接続部材１６及びホース１８などの他の部材を介して間接的に浴槽５の排水口６に接続しても良いし、浴槽５の排水口６に直接的に接続してもよい。
【００３４】
ヘアキャッチャー１４は、受入口２０に着脱可能に取り付けられる。ヘアキャッチャー１４は、受入口２０からトラップ本体１２内への水の流入を妨げることなく、毛髪などの異物が受入口２０からトラップ本体１２内に侵入してしまうことを抑制する。
【００３５】
ヘアキャッチャー１４は、本体部３０と、取っ手部３２と、を有する。本体部３０は、下方に向かって凹む籠状である。本体部３０は、複数の開口を有し、各開口から水をトラップ本体１２内に流入させるとともに、各開口の周囲の網目状の部分において毛髪などの異物を捕捉する。
【００３６】
本体部３０は、受入口２０に嵌って少なくとも一部がトラップ本体１２内に入り込む。受入口２０の形状は、略円形である。同様に、本体部３０の上端３０ａの形状（本体部３０を上方から見た形状）は、略円形である。本体部３０の上端３０ａの外径は、例えば、受入口２０の直径と実質的に同じか僅かに小さい程度である。これにより、本体部３０は、受入口２０内に嵌る。
【００３７】
また、ヘアキャッチャー１４は、本体部３０の上端３０ａが受入口２０と略面一になるようにトラップ本体１２に取り付けられる。すなわち、この例においては、本体部３０の略全体がトラップ本体１２内に入り込む。本体部３０の上端３０ａは、受入口２０に対して上方に位置してもよいし、下方に位置してもよい。但し、本体部３０の上端３０ａの位置は、受入口２０と略面一もしくは受入口２０よりも下方に設定することが好ましい。これにより、受入口２０より上方に設定する場合に比べて、洗い場２から流れた水をヘアキャッチャー１４の本体部３０内に流入させ易くすることができる。例えば、異物を含んだ水が、ヘアキャッチャー１４を通過することなく、ヘアキャッチャー１４と受入口２０との間の隙間などからトラップ本体１２内に直接流れ込んでしまうことを抑制することができる。トラップ本体１２内への異物の侵入をより抑制することができる。
【００３８】
取っ手部３２は、本体部３０の上端３０ａから外方に向かって略水平に延びる。これにより、例えば、ヘアキャッチャー１４を着脱し易くすることができる。例えば、取っ手部３２を摘み、本体部３０を裏返すように操作することにより、本体部３０に捕捉された異物を容易にゴミ箱などに捨てることができる。この例において、ヘアキャッチャー１４は、本体部３０の上端３０ａから上方に向かって延びる立ち上がり部３１を有し、取っ手部３２は、立ち上がり部３１の上端から外方に向かって略水平に延びる。取っ手部３２は、本体部３０の上端３０ａから直接的に外方に延びてもよいし、上記のように、立ち上がり部３１などを介して本体部３０の上端３０ａから間接的に外方に延びてもよい。
【００３９】
トラップ本体１２は、封水貯留部４０と、突出部４１と、噴出部４２と、を有する。  
封水貯留部４０は、上部に受入口２０が設けられた有底筒状である。受入口２０に取り付けられたヘアキャッチャー１４は、封水貯留部４０内に入り込む。封水貯留部４０は、受入口２０から流入した水を受ける。封水貯留部４０は、流入した水を流出口２４に向けて流出させつつ、内部に封水を貯留可能とする。
【００４０】
トラップ本体１２は、例えば、隣接室４３と、連通口４４と、をさらに有する。隣接室４３は、封水貯留部４０に隣接して設けられる。流出口２４は、隣接室４３に設けられる。流出口２４は、隣接室４３において、隣接室４３の底面よりも上方に設けられる。流出口２４は、例えば、隣接室４３から側方を向いて形成される。これにより、隣接室４３では、流出口２４よりも下方の部分に、水が溜まる。すなわち、この例では、流出口２４の下端の位置が、封水の最高位置ＭＨＰとなる。
【００４１】
連通口４４は、封水貯留部４０と隣接室４３との隣接部において、封水貯留部４０と隣接室４３とを連通させる。連通口４４は、封水の最高位置ＭＨＰよりも下方に設けられ、封水中に没する。これにより、受入口２０及び流入口２２から流出口２４へと至る経路が、封水によって遮断される。連通口４４は、例えば、封水貯留部４０及び隣接室４３の下端部に設けられる。
【００４２】
連通口４４による封水貯留部４０と隣接室４３との連通により、封水貯留部４０にも、最高位置ＭＨＰ以下の部分に水が溜まる。封水貯留部４０に流入した水は、連通口４４及び隣接室４３を介して流出口２４に流出される。これにより、封水貯留部４０において、流入した水を流出口２４に向けて流出させつつ、内部に封水を貯留可能とすることができる。トラップ本体１２において封水を形成する構成は、上記に限ることなく、封水貯留部４０内に封水を貯留可能で、かつ流入した水を流出口２４に流出させることができる任意の構成でよい。
【００４３】
封水貯留部４０は、略円筒状の内周面４０ａを有する。内周面４０ａの直径は、受入口２０の直径と実質的に同じである。また、内周面４０ａの中心軸の位置は、受入口２０の中心と実質的に同じである。受入口２０は、例えば、円筒状の封水貯留部４０の開口端である。内周面４０ａの直径は、必ずしも受入口２０の直径と同じでなくてもよい。内周面４０ａの中心軸の位置は、必ずしも受入口２０の中心と同じでなくてもよい。
【００４４】
封水貯留部４０は、例えば、ベース部５０と、ベース部５０の上部に着脱可能に取り付けられる締付フランジ５２と、を有する。ベース部５０は、有底円筒状である。締付フランジ５２は、円筒状の筒部５２ａと、筒部５２ａの上端から外方に延びるフランジ部５２ｂと、を有する。筒部５２ａの外径は、ベース部５０の上部の内径と同程度である。筒部５２ａは、ベース部５０内に挿通される。また、ベース部５０の上部の内周面には、雌ねじが設けられている。筒部５２ａの下部の外周面には、ベース部５０の雌ねじに対応する雄ねじが設けられている。締付フランジ５２は、筒部５２ａの雄ねじをベース部５０の雌ねじに螺合させることにより、ベース部５０に着脱可能に取り付けられる。
【００４５】
筒部５２ａの内周面は、ベース部５０に取り付けられた状態において、ベース部５０の内周面と略面一となる。この例において、封水貯留部４０の内周面は、ベース部５０の内周面と、筒部５２ａの内周面と、を含む。この例において、受入口２０は、筒部５２ａの上方の開口端である。この例おいて、受入口２０は、締付フランジ５２に形成されている。
【００４６】
洗い場２の排水口４を上から見た形状は、略円形である。排水口４は、断面略円形の貫通孔である。排水口４の直径は、締付フランジ５２の筒部５２ａの外径と同程度である。排水口４と受入口２０との接続においては、締付フランジ５２の筒部５２ａを上方から排水口４に挿通し、各ねじの螺合により、ベース部５０の開口端面とフランジ部５２ｂとの間に、洗い場２の床材の排水口４の周縁部分を挟み込む。これにより、排水口４と受入口２０とが接続され、排水口４から排出された水が、受入口２０からトラップ本体１２（封水貯留部４０）内に流入する。
【００４７】
排水口４と受入口２０との接続方法は、上記に限定されるものではない。封水貯留部４０は、必ずしも締付フランジ５２を有しなくてもよい。この場合、ベース部５０の上部の開口端を受入口２０とすればよい。
【００４８】
突出部４１は、封水貯留部４０の内周面４０ａに設けられる。突出部４１は、例えば、締付フランジ５２の内周面に設けられる。突出部４１は、封水貯留部４０の内周面４０ａから内方に突出するとともに、内周面４０ａの周方向に延びる。突出部４１は、内周面４０ａの全周に亘って封水貯留部４０の内部の幅Ｗ１を、ヘアキャッチャー１４を上方から見た状態における本体部３０の上端３０ａの外形形状の最小の幅Ｗ２よりも狭くする。
【００４９】
突出部４１は、例えば、内周面４０ａに沿う環状である。この例において、突出部４１は、環状突出部である。突出部４１は、例えば、円環状である。例えば、突出部４１の内径Ｄ１を本体部３０の上端３０ａの外径Ｄ２よりも小さくする。これにより、内周面４０ａの全周に亘って封水貯留部４０の内部の幅Ｗ１を、ヘアキャッチャー１４の本体部３０の幅Ｗ２よりも狭くすることができる。
【００５０】
ヘアキャッチャー１４の本体部３０の一部は、受入口２０に嵌った状態において、突出部４１よりも下方の封水貯留部４０内に入り込む。換言すれば、本体部３０の一部は、環状の突出部４１に挿通される。本体部３０は、封水貯留部４０との当接によって下方への移動が規制される。前述のように、突出部４１の幅は、本体部３０の幅よりも狭い。従って、少なくとも突出部４１との当接により、本体部３０の全体が、突出部４１よりも下方に移動することはない。本体部３０が当接する位置は、突出部４１に限ることなく、封水貯留部４０の任意の位置でよい。本体部３０は、封水貯留部４０に直接的に当接してもよいし、他の部材などを介して間接的に当接してもよい。
【００５１】
封水貯留部４０は、ヘアキャッチャー１４の底部が封水の最高位置ＭＨＰよりも上方に位置するように、ヘアキャッチャー１４を保持する。封水貯留部４０及びヘアキャッチャー１４は、受入口２０に取り付けられたヘアキャッチャー１４の底部が封水の最高位置ＭＨＰよりも上方に位置するように、寸法が調整される。例えば、封水貯留部４０との当接によって本体部３０の下方への移動が規制された状態において、本体部３０の上端３０ａが、受入口２０と略面一となるようにしてもよい。
【００５２】
噴出部４２は、流入口２２から流入した水を封水貯留部４０内に噴出させることにより、封水貯留部４０の内周面４０ａに沿って旋廻する旋廻流を形成するとともに、封水貯留部４０内の水位を一時的に上昇させ、ヘアキャッチャー１４を旋廻流に浸漬させる。
【００５３】
図４は、流入口から水が流入した場合の水の流れを説明する説明図である。  
図４に表したように、噴出部４２は、例えば、円筒面状の内周面４０ａの接線方向に向けて封水貯留部４０内に水を噴出させる。これにより、内周面４０ａに沿って水が旋廻し、封水貯留部４０内に旋廻流が形成される。この例において、旋廻流の旋廻方向は、時計回りの方向である。旋廻方向は、反時計回りの方向でもよい。
【００５４】
旋廻流となった水の一部は、連通口４４を介して封水貯留部４０から隣接室４３に流出し、流出口２４から排水管８に流出する。この際、噴出部４２から噴出する水の量を、連通口４４から流出する水の量よりも僅かに多くする。これにより、噴出部４２からの水の噴出にともなって封水貯留部４０内の水位が一時的に上昇し、ヘアキャッチャー１４が旋廻流に浸漬される。
【００５５】
ヘアキャッチャー１４を旋廻流に浸漬させると、ヘアキャッチャー１４の本体部３０内において、捕捉された異物が攪拌される。これにより、例えば、毛髪などの異物を一まとまりの塊にまとめ、捕捉された異物を捨て易くすることができる。また、例えば、ヘアキャッチャー１４の表面を旋廻流によって浄化させ、ヘアキャッチャー１４の表面におけるヌメリの発生などを抑えることができる。
【００５６】
図４に表したように、トラップ本体１２は、例えば、バイパス路４５をさらに有する。バイパス路４５は、例えば、流入口２２と隣接室４３とを接続し、流入口２２から流入した水の一部を封水貯留部４０を介すことなく隣接室４３に送る。例えば、封水貯留部４０に噴出する水の量と、バイパス路４５に流す水の量と、を調整することにより、噴出部４２から水を噴出させた際の封水貯留部４０内の水位を調整することができる。バイパス路４５の少なくとも一部は、封水の最高位置ＭＨＰよりも下方に設けられる。これにより、バイパス路４５内に封水が満たされ、流入口２２から流出口２４に向かう経路が遮断される。
【００５７】
図５は、実施形態に係るヘアキャッチャー及び締付フランジを表す斜視図である。  
図６は、実施形態に係るヘアキャッチャー及び締付フランジの一部を拡大して表す部分断面図である。  
図５及び図６に表したように、ヘアキャッチャー１４は、複数の係合突起３４を有する。各係合突起３４は、本体部３０の外周面に設けられる。各係合突起３４は、本体部３０の外周面の周方向において所定の間隔を空けて設けられる。
【００５８】
各係合突起３４は、外方に向かって突出し、突出部４１の下端４１ａに係合して本体部３０の上方への移動を規制可能とする。
【００５９】
ヘアキャッチャー１４は、例えば、１８０°おきに設けられた２つの係合突起３４を有する。２つの係合突起３４の一方は、取っ手部３２の下方に設けられる。２つの係合突起３４の他方は、取っ手部３２と相対する位置に設けられる。取っ手部３２の延びる方向を後方、これと反対の方向を前方とした場合、各係合突起３４は、少なくとも本体部３０の前端部及び後端部に設けられる。このように、複数の係合突起３４の１つは、取っ手部３２の下方に設けられ、複数の係合突起３４の別の１つは、取っ手部３２と相対する位置に設けられる。各係合突起３４の数は、２つに限ることなく、本体部３０の上方への移動を規制可能な任意の数でよい。各係合突起３４の配置は、上記に限ることなく、本体部３０の上方への移動を規制可能な任意の配置でよい。また、各係合突起３４の間隔は、必ずしも一定でなくてもよい。本願明細書において、「所定の間隔」には、同一の間隔のみならず、間隔にばらつきがある場合も含むものとする。
【００６０】
ヘアキャッチャー１４を上から見た状態において、２つの係合突起３４の一方の端部から他方の端部までの距離は、突出部４１の下端４１ａの内径よりも長い。換言すれば、ヘアキャッチャー１４を上から見た状態において、各係合突起３４の外接円の直径は、突出部４１の下端４１ａの内径よりも長い。これにより、各係合突起３４は、突出部４１の下端４１ａに係合可能となる。
【００６１】
ヘアキャッチャー１４には、例えば、樹脂材料や金属材料などの弾性を有する材料が用いられる。各係合突起３４の少なくとも１つ及び本体部３０のいずれかは、弾性を有する。各係合突起３４の少なくとも１つ及び本体部３０のいずれかは、各係合突起３４が突出部４１の部分を通過する際に、弾性変形することにより、各係合突起３４の突出部４１の部分の通過を許容する。これにより、各係合突起３４が、突出部４１の下端４１ａより下方に位置することが可能となる。各係合突起３４と突出部４１の下端４１ａとの係合が可能になる。各係合突起３４は、例えば、本体部３０の下方への移動が規制された状態において、突出部４１の下端４１ａより下方に位置する。
【００６２】
各係合突起３４は、例えば、本体部３０と一体に設けられる。この場合、本体部３０及び各係合突起３４のそれぞれが弾性を有する。例えば、本体部３０と各係合突起３４とに異なる材料を用いることにより、各係合突起３４の少なくとも１つ及び本体部３０のいずれかのみに弾性を持たせるようにしてもよい。弾性変形する係合突起３４は、複数の係合突起３４のうちのいずれか１つのみでもよい。また、本体部３０に比べて小さい各係合突起３４においては、同じ材料を用いた場合であっても、本体部３０に比べて弾性変形量が小さくなると考えられる。このように、同じ材料を用いた場合においても、各係合突起３４の少なくとも１つ及び本体部３０のいずれかが、形状によって実質的に弾性変形しないようにしてもよい。
【００６３】
各係合突起３４は、外方に向かう方向において突出部４１に当接する当接面３４ａを有する。当接面３４ａは、本体部３０及び各係合突起３４の少なくとも一方の弾性力によって、突出部４１に押し付けられる。これにより、当接面３４ａは、本体部３０の周方向の回転を摩擦力によって抑制する。ヘアキャッチャー１４は、旋廻流に浸漬された際に、当接面３４ａと突出部４１との当接にともなう摩擦力により、旋廻流の影響を受けて旋廻方向に回転してしまうことを抑制する。すなわち、当接面３４ａは、突出部４１と各係合突起３４とが係合した状態において、本体部３０の周方向の回転を規制する回転規制部として機能する。当接面３４ａは、突出部４１に直接的に接してもよいし、他の部材などを介して突出部４１に間接的に接してもよい。本体部３０の下方への移動の規制は、例えば、当接面３４ａと突出部４１との当接によって行われる。
【００６４】
ヘアキャッチャー１４の本体部３０は、例えば、フランジ部３０ｆと、傾斜側壁３０ｓと、リブ３０ｒと、を有する。フランジ部３０ｆは、上端部から外方に向かって放射状に延びる。傾斜側壁３０ｓは、下方に向かうに従って内方へ傾斜する。すなわち、本体部３０は、下方に向かうに従って径が小さくなる。リブ３０ｒは、フランジ部３０ｆの下端から下方に延び、フランジ部３０ｆと傾斜側壁３０ｓと、を接続する。
【００６５】
例えば、リブ３０ｒの下端を突出部４１の上端に当接させることにより、本体部３０の下方への移動を規制してもよい。すなわち、フランジ部３０ｆと各係合突起３４との間で突出部４１を挟むことにより、本体部３０の上下方向の移動を規制してもよい。例えば、フランジ部３０ｆと各係合突起３４との間で突出部４１を挟み、本体部３０の周方向の回転を挟み込みによって生じる摩擦力によって抑制してもよい。
【００６６】
ヘアキャッチャー１４の取り付けにおいては、取っ手部３２を摘んでヘアキャッチャー１４を操作し、本体部３０を受入口２０及び突出部４１に挿通する。そして、本体部３０及び各係合突起３４の少なくとも一方を弾性変形させながら突出部４１の部分を通過させ、各係合突起３４を突出部４１の下方まで嵌め込む。これにより、各係合突起３４が突出部４１の下端に係合し、本体部３０の上方への移動が規制されるとともに、各係合突起３４の当接面３４ａと突出部４１との当接によって、本体部３０の下方への移動が規制される。以上により、ヘアキャッチャー１４の取り付けが完了する。
【００６７】
図７（ａ）及び図７（ｂ）は、実施形態に係るヘアキャッチャーの取り付け手順を表す説明図である。  
図７（ａ）に表したように、取っ手部３２を摘んだ状態で、ヘアキャッチャー１４の本体部３０の前側の一部のみを突出部４１の下方へ通過させ、取っ手部３２と相対する位置（本体部３０の前端側）に設けられた係合突起３４の少なくとも一部を突出部４１よりも下方に位置させる。この後、図７（ｂ）に表したように、取っ手部３２を下方に押し込むことで、取っ手部３２の下方に設けられた係合突起３４を突出部４１に係合させる。この時、ヘアキャッチャー１４の姿勢の変化にともない、前端側の係合突起３４も自動的にほぼ同時に突出部４１と係合する。これにより、取っ手部３２を摘んだ状態のまま、ヘアキャッチャー１４の取り付けを行うことができる。
【００６８】
ヘアキャッチャー１４を取り外す場合には、取っ手部３２を摘んで上方に引き上げ、本体部３０及び各係合突起３４の少なくとも一方を弾性変形させながら突出部４１の部分を通過させることにより、各係合突起３４と突出部４１との係合状態を解除する。これにより、ヘアキャッチャー１４をトラップ本体１２から取り外すことができる。
【００６９】
図８は、ヘアキャッチャーの取り付け状態を表す参考図である。  
図８では、参考の排水トラップＤＴにおける参考のヘアキャッチャーＨＣの取り付け状態を表している。参考の排水トラップＤＴでは、トラップ本体ＭＢの内周面に係合突起ＥＰが設けられ、ヘアキャッチャーＨＣの外周面に係合溝ＥＧが設けられる（図１３、図１４参照）。参考の排水トラップＤＴでは、例えば、ヘアキャッチャーＨＣを周方向に回転させて係合突起ＥＰと係合溝ＥＧとを係合させることにより、ヘアキャッチャーＨＣが取り付けられる。
【００７０】
洗い場２の排水口４は、排水の溢れを抑制したり、排水口４を覆うカバーを収容したりするため、凹部３の底面３ａに設けられる。凹部３の底面３ａの大きさは、受入口ＯＰの大きさよりも僅かに大きい程度であり、凹部３の立面３ｂは、受入口ＯＰに近接して配置される。
【００７１】
これにともない、洗い場２の床面２ａと凹部３の立面３ｂとのコーナー部ＣＮＲに手が当たってしまうことを避けるため、図８に表したように、使用者によっては、ヘアキャッチャーＨＣの取っ手ＨＣｈを摘み、ヘアキャッチャーＨＣの本体部を受入口ＯＰに対して斜めに差し込んでしまう。そして、ヘアキャッチャーＨＣを受入口ＯＰに対して斜めに差し込むと、ヘアキャッチャーＨＣの本体部の上端の外径は受入口ＯＰの直径と実質的に同じか僅かに小さいため、本体部が各係合突起ＥＰの間を通り抜け、ヘアキャッチャーＨＣがトラップ本体ＭＢ内の封水に浸かってしまう場合がある。
【００７２】
トラップ本体ＭＢ内の封水は、石鹸カスなどの混入により、不衛生な状態となっている場合がある。このため、ヘアキャッチャーＨＣが封水に浸かると、使用者にストレスを与えてしまう恐れがある。
【００７３】
また、ヘアキャッチャーＨＣを受入口ＯＰよりも大きくすると、ヘアキャッチャーＨＣが封水に浸かってしまうことを抑制できる反面、ヘアキャッチャーＨＣのサイズが大きくなってしまうため、操作性の低下を招き、ヘアキャッチャーＨＣの機能性を低下させてしまう。
【００７４】
これに対して、本実施形態に係る排水トラップ１０では、各係合突起３４の少なくとも１つ及び本体部３０のいずれかを弾性変形させながら各係合突起３４を突出部４１の下方まで嵌め込むという簡単な作業で、ヘアキャッチャー１４の取り付けを行うことができる。また、本体部３０の当接及び各係合突起３４の係合により、旋廻流の影響でヘアキャッチャー１４が上下に動いてしまうことを抑制することができる。また、ヘアキャッチャー１４が旋廻流の影響を受けても、当接面３４ａの当接にともなう摩擦力によって、ヘアキャッチャー１４が回転してしまうことを抑制することができる。さらに、突出部４１が、内周面４０ａの全周に亘って封水貯留部４０の内部の幅Ｗ１を、ヘアキャッチャー１４を上方から見た状態における本体部３０の上端３０ａの外形形状の最小の幅Ｗ２よりも狭くするため、ヘアキャッチャー１４の本体部３０の上端３０ａから外方に延びる取っ手部３２を摘んでヘアキャッチャー１４を取り付ける際に、ヘアキャッチャー１４が斜めの状態で取り付けられようとしたとしても、突出部４１と接触するため、ヘアキャッチャー１４が封水に浸かってしまうことを抑制することができる。従って、ヘアキャッチャー１４の機能性の低下を招くことなく、ヘアキャッチャー１４が封水に浸かってしまうことを抑制することができる。
【００７５】
また、排水トラップ１０では、各係合突起３４の１つが、取っ手部３２の下方に設けられ、各係合突起３４の別の１つが、取っ手部３２と相対する位置に設けられているため、前述のように、ヘアキャッチャー１４の取り付け時に、取っ手部３２を持って操作するだけで取り付けを行うことができ、取り付けの作業性を向上させることができる。
【００７６】
また、排水トラップ１０では、各係合突起３４が、外方に向かう方向において突出部４１に当接し、本体部３０及び各係合突起３４の少なくとも一方の弾性力によって突出部４１に押し付けられることにより、本体部３０の周方向の回転を摩擦力によって抑制する当接面３４ａを有する。これにより、ヘアキャッチャー１４が旋廻流の影響を受けて回転してしまうことを抑制することができる。
【００７７】
図９は、実施形態に係る締付フランジの変形例を表す斜視図である。  
図９に表したように、この例において、締付フランジ５２（封水貯留部４０）は、当接部４６を有する。当接部４６は、突出部４１の下方に設けられ、各係合突起３４のいずれかの周方向の側端（側面）と当接可能である。当接部４６は、各係合突起３４のいずれかの周方向の側端との当接により、本体部３０の周方向の回転を規制する。このように、この例では、各係合突起３４（凸部）と当接部４６とによって、本体部３０の周方向の回転を規制する回転規制部が構成される。当接部４６を設けた場合には、ヘアキャッチャー１４が旋廻流の影響を受けて回転してしまうことを、より確実に抑制することができる。当接部４６を設ける場合、各係合突起３４は、必ずしも当接面３４ａを有しなくてもよい。この例において、当接部４６は、突出部４１の下端から下方に突出するように形成されている。これに限ることなく、当接部４６は、例えば、突出部４１よりも下方の締付フランジ５２の内周面に設けてもよい。
【００７８】
図１０は、実施形態に係る締付フランジの別の変形例を表す部分断面図である。  
図１０に表したように、この例において、締付フランジ５２（封水貯留部４０）は、当接部４８を有する。当接部４８は、突出部４１の上方に設けられ、突出部４１と各係合突起３４とが係合した状態において、本体部３０から外方に突出した凸部であるリブ３０ｒの周方向の側端（側面）と当接可能である。当接部４８は、リブ３０ｒとの当接により、本体部３０の周方向の回転を規制する。この例では、リブ３０ｒ（凸部）と当接部４８とによって、本体部３０の周方向の回転を規制する回転規制部が構成される。この例においても、ヘアキャッチャー１４が旋廻流の影響を受けて回転してしまうことを、より確実に抑制することができる。回転規制部の構成は、上記に限ることなく、本体部３０の周方向の回転を規制可能な任意の構成でよい。
【００７９】
図１１は、実施形態に係るヘアキャッチャー及び締付フランジの変形例を表す部分断面図である。  
図１１に表したように、この例において、各係合突起３４は、上方に向かうに従って内方へ傾斜する傾斜面３４ｓを有する。傾斜面３４ｓは、本体部３０の傾斜側壁３０ｓと逆向きに傾斜している。傾斜面３４ｓの上端は、例えば、傾斜側壁３０ｓに接する。これにより、ヘアキャッチャー１４は、本体部３０の傾斜側壁３０ｓと各係合突起３４の傾斜面３４ｓとによって、内方に向かって凹む凹部３６を形成する。
【００８０】
この例において、ヘアキャッチャー１４は、凹部３６を突出部４１に係合させることにより、封水貯留部４０（受入口２０）に取り付けられる。ヘアキャッチャー１４は、凹部３６と突出部４１との係合により、本体部３０の上下方向の移動が規制される。突出部４１は、傾斜面４１ｓを有する。傾斜面４１ｓは、ヘアキャッチャー１４の傾斜側壁３０ｓと対向する。傾斜面４１ｓは、下方に向かうに従って内方へ傾斜する。すなわち、傾斜面４１ｓの傾斜の向きは、傾斜側壁３０ｓの傾斜の向きと同じである。例えば、傾斜側壁３０ｓを傾斜面４１ｓの上に載置することにより、ヘアキャッチャー１４の下方への移動を規制してもよい。この際、傾斜面４１ｓを傾斜側壁３０ｓと略平行とすることにより、ヘアキャッチャー１４をより載置し易くすることができる。
【００８１】
凹部３６は、突出部４１に当接し、各係合突起３４の少なくとも１つ及び本体部３０のいずれかの弾性力により、突出部４１に押し付けられる。これにより、ヘアキャッチャー１４は、凹部３６と突出部４１との当接にともなう摩擦力により、本体部３０の周方向の移動が規制される。
【００８２】
従って、この例においても、旋廻流の影響にともなうヘアキャッチャー１４の上下方向の移動及び回転を抑制することができる。ヘアキャッチャー１４の機能性の低下を招くことなく、ヘアキャッチャー１４が封水に浸かってしまうことを抑制することができる。なお、係合突起３４の形状は、上記に限ることなく、傾斜側壁３０ｓに対して凹部３６を形成可能な任意の形状でよい。
【００８３】
図１２（ａ）及び図１２（ｂ）は、実施形態に係る締付フランジの変形例を表す平面図である。  
図１２（ａ）に表したように、突出部４１は、環状に限ることなく、僅かに隙間が設けられたＣ字状としてもよい。あるいは、図１２（ｂ）に表したように、複数の突出部４１を周方向において所定の間隔を空けて設けてもよい。周方向に並べて設けられた複数の突出部４１により、封水貯留部４０の内周面４０ａの全周に亘って封水貯留部４０の内部の幅をヘアキャッチャー１４の本体部３０の上端３０ａの幅よりも狭くしてもよい。
【００８４】
このように、突出部４１は、環状でもよいし、Ｃ字状でもよい。円弧状の複数の突出部４１を周方向に並べて設けてもよい。突出部４１の形状は、封水貯留部４０の内周面４０ａの全周に亘って封水貯留部４０の内部の幅をヘアキャッチャー１４の本体部３０の幅よりも狭くすることができる任意の形状でよい。換言すれば、突出部４１の形状は、ヘアキャッチャー１４の下方への通り抜けを抑制できる任意の形状でよい。
【００８５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、排水トラップ１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８６】
２ 洗い場、  ３ 凹部、  ３ａ 底面、  ４ 排水口、  ５ 浴槽、  ６ 排水口、  ８ 排水管、  １０ 排水トラップ、  １２ トラップ本体、  １４ ヘアキャッチャー、  １６ 接続部材、  １８ ホース、  ２０ 受入口、  ２２ 流入口、  ２４ 流出口、  ３０ 本体部、  ３２ 取っ手部、  ３４ 係合突起、  ３４ａ 当接面、  ３６ 凹部、  ４０ 封水貯留部、  ４１ 突出部、  ４２ 噴出部、  ４３ 隣接室、  ４４ 連通口、  ４５ バイパス路、  ４６、４８ 当接部、  ５０ ベース部、  ５２ 締付フランジ、  ＣＮＲ コーナー部、  ＭＨＰ 最高位置
【図１】
0006651947.tif 000002
【図２】
0006651947.tif 000003
【図３】
0006651947.tif 000004
【図４】
0006651947.tif 000005
【図５】
0006651947.tif 000006
【図６】
0006651947.tif 000007
【図７】
0006651947.tif 000008
【図８】
0006651947.tif 000009
【図９】
0006651947.tif 000010
【図１０】
0006651947.tif 000011
【図１１】
0006651947.tif 000012
【図１２】
0006651947.tif 000013
【図１３】
0006651947.tif 000014
【図１４】
0006651947.tif 000015
【図１５】
0006651947.tif 000016